(57)【要約】【課題】気流の乱れによる音質の劣化がなく、大振幅の振動が繰り返されても破壊する恐れのない蝶ダンパーを提供する。【解決手段】中心部に配置されスピーカボイスコイルに固着されるボイスコイル支持リング部１ａと、周辺部に配置されスピーカフレームに支持される平板リング部１ｂと、前記ボイスコイル支持リング部１ａと平板リング部１ｂとの間に放射状に配置され前記ボイスコイル支持リング部１ａと平板リング部１ｂとを連結する複数のアーム部１ｃと、からなるスピーカ用蝶ダンパーにおいて、前記アーム部１ｃの断面長手方向が、前記平板リング部と１ｂの連結部で前記平板リング部１ｂの面と平行しており、前記スピーカボイスコイル支持リング部１ａとの連結部で前記平板リング部の面に対して直交しており、前記連結部間において前記平板リング部の面に対する角度が単調に増加している。【選択図】図１
2010147839.tif 000002
【特許請求の範囲】
【請求項１】
中心部に配置されスピーカボイスコイルに固着されるボイスコイル支持リング部と、周辺部に配置されスピーカフレームに支持される平板リング部と、前記ボイスコイル支持リング部と平板リング部との間に放射状に配置され前記ボイスコイル支持リング部と平板リング部とを連結する複数のアーム部と、からなるスピーカ用蝶ダンパーにおいて、前記アーム部の断面長手方向が、前記平板リング部との連結部で前記平板リング部の面と平行しており、前記スピーカボイスコイル支持リング部との連結部で前記平板リング部の面に対して９０°以下の仰角で傾斜し、または直交しており、前記連結部間において前記平板リング部の面に対する角度が単調に増加することを特徴とするスピーカ用蝶ダンパー。
【請求項２】
前記アーム部の断面長手方向が、隣り合うアーム部で互いに逆方向に傾斜する請求項１のスピーカ用蝶ダンパー。
【請求項３】
前記アーム部が隣り合う所定個数のグループで構成されており、隣り合うグループでアーム部の断面長手方向が互いに逆方向に傾斜する請求項１のスピーカ用蝶ダンパー。
【請求項４】
前記アーム部の傾斜角度の小さい平板リング部との連結部近傍において、く字形状またはＵ字形状に形成されている請求項１から３のいずれかに記載されたスピーカ用蝶ダンパー。
【請求項５】
合成樹脂により射出成形された請求項１から４のいずれかに記載されたスピーカ用蝶ダンパー。
【発明の詳細な説明】
【技術分野】
【０００１】
この発明はスピーカに係わり、特に、ボイスコイル位置を正確に位置決めするためダンパーに関する。
【背景技術】
【０００２】
従来から振動板に固着されたボイスコイルの位置を磁気回路の磁界中に偏心しないように位置決めするダンパーが用いられている。図５に示す従来のコルゲート型ダンパー１０は不織布等に樹脂を含浸させて成形したもので、ボイスコイルに固着されるボイスコイル支持部１０ａと周辺部のスピーカフレームに固定される固定部１０ｂの間にコルゲート１０ｃが形成されている。
【０００３】
コルゲート１０ｃは固定部１０ｂに対してボイスコイル支持部１０ａが上下方向に容易に変位できるようにするために設けられているが、コルゲート１０ｃの部分は空気を通さないため、上下の空気が圧縮・膨脹するための空気抵抗を受け、振動板の振幅を増大するための障害となっていた。
【０００４】
図６に空気抵抗を減じるように形成された従来のスピーカ用蝶ダンパーの例を示す。図６に示すスピーカ用蝶ダンパー１１は、ガラス繊維にエポキシ樹脂を含浸させたガラエポ板、ベーク板、金属板等をプレス抜きで作られたものが多く、ボイスコイルに固着されるボイスコイル支持リング部１１ａとスピーカフレームに固定される平板リング部１１ｂとが複数のアーム部１１ｃ、１１ｃ…で連結された平面状に形成されている。
【０００５】
このスピーカ用蝶ダンパー１１はアーム部１１ｃ、１１ｃ…間の空間を空気が流れるため、空気の圧縮・膨脹による抵抗は小さくなるが、平板の縁を平板と直角方向に流れる空気は渦を発生して気流が乱れる。このために異常な振動が発生し、音質低下の原因となっていた。
【０００６】
また、アーム部１１ｃは両端支持梁として作用するが、両端支持梁は端部に大きい曲げモーメントを受ける。曲げモーメントにより発生する最大応力は曲げモーメントを断面係数で除することにより求められる。従って、繰り返し受ける応力を破壊限度以下とするために断面係数を大きくする必要がある。
【０００７】
断面係数は変位方向すなわち曲げモーメントが掛かる方向の厚さの二乗に幅を掛けたものであり、幅を大きくすることにより増大できるが、ボイスコイル支持リング部１１ａの周囲の長さは限られており、断面係数を十分に大きくすることができなかった。従って、上記図６に示す従来のスピーカ用蝶ダンパー１１は振幅の大きい振動が繰り返されると疲労破壊することがあった。
【０００８】
特開２００２−２６２３９２号公報に開示された蝶ダンパーは、アーム部の縁が丸く形成されているため、気流の乱れによる振動は多少減少されるが、アーム部が振動方向と直角方向に延びる平板で形成されているためにアーム部４の内周枠３との連結部に大きい応力が発生し、大振幅の振動が繰り返されると破壊する恐れがあった。
【特許文献１】特開２００２−２６２３９２号公報、段落００２１、図２
【発明の開示】
【発明が解決しようとする課題】
【０００９】
この発明は上記した点に鑑みてなされたものであって、その目的とするところは、気流の乱れによる音質の劣化がなく、大振幅の振動が繰り返されても破壊する恐れのない蝶ダンパーを提供することにある。
【課題を解決するための手段】
【００１０】
この発明のスピーカ用蝶ダンパーは、中心部に配置されスピーカボイスコイルに固着されるボイスコイル支持リング部と、周辺部に配置されスピーカフレームに支持される平板リング部と、前記ボイスコイル支持リング部と平板リング部との間に放射状に配置され前記ボイスコイル支持リング部と平板リング部とを連結する複数のアーム部と、からなるスピーカ用蝶ダンパーにおいて、前記アーム部の断面長手方向が、前記平板リング部との連結部で前記平板リング部の面と平行しており、前記スピーカボイスコイル支持リング部との連結部で前記平板リング部の面に対して９０°以下の仰角で傾斜し、または直交しており、前記連結部間において前記平板リング部の面に対する角度が単調に増加するものである。
【００１１】
また、前記スピーカ用蝶ダンパーにおいて、前記アーム部の断面長手方向が、隣り合うアーム部で互いに逆方向に傾斜するものである。
【００１２】
また、同スピーカ用蝶ダンパーにおいて、前記アーム部が隣り合う所定個数のグループで構成されており、隣り合うグループでアーム部の断面長手方向が互いに逆方向に傾斜するものである。
【００１３】
また、前記各スピーカ用蝶ダンパーにおいて、前記アーム部の傾斜角度の小さい平板リング部との連結部近傍において、く字形状またはＵ字形状に形成されているものである。
【００１４】
また、前記各スピーカ用蝶ダンパーにおいて、合成樹脂により射出成形されたものである。
【発明の効果】
【００１５】
この発明のスピーカ用蝶ダンパーによれば、気流の乱れによる音質の劣化がなく、大振幅の振動が繰り返されても破壊する恐れがない。
【発明を実施するための最良の形態】
【００１６】
以下この発明を実施するための最良の形態を実施例に即して説明する。
【実施例１】
【００１７】
図１はこの発明の実施例１であるスピーカ用蝶ダンパーを示す部分斜視図である。図１に示すスピーカ用蝶ダンパー１はボイスコイル支持リング部１ａと平板リング部１ｂとが放射状に配置されたアーム部１ｃ、１ｃ…により連結された形状であり、合成樹脂を射出成形することにより作られている。
【００１８】
アーム部１ｃの断面長手方向は、平板リング部１ｂとの連結部で平板リング部１ｂの面と平行しており、スピーカボイスコイル支持リング部１ａとの連結部で平板リング部１ｂの面に対し垂直方向となっており、その間において平板リング部１ｂの面に対する角度が単調かつ滑らかに増加している。
【００１９】
このスピーカ用蝶ダンパー１がスピーカに組み付けられた状態を図４に示す。図４に示す振動板５の周辺部はエッジ６を介してスピーカフレーム４に支持されている。振動板５の中心穴に固着されたボイスコイル７はその下部に設けられた線輪が図示していない磁気回路の磁界中に位置し、中間部がスピーカ用蝶ダンパー１のボイスコイル支持リング部１ａに接着されている。
【００２０】
スピーカ用蝶ダンパー１の平板リング部１ｂはスピーカフレーム４に位置決め固定されており、スピーカ用蝶ダンパー１はボイスコイル７の線輪を磁気回路の磁界中に偏心しないように支持する作用を有する。
【００２１】
上記構成のスピーカは、線輪に音声信号電流を流すことにより、ボイスコイル７に電磁力が印加され、スピーカ用蝶ダンパー１のアーム部１ｃを撓ませながら、ボイスコイル７および振動板５が振動して放音する。
【００２２】
スピーカ用蝶ダンパー１のアーム部１ｃの振幅は、ボイスコイル支持リング部１ａとの連結部で最も大きく、アーム部１ｃに加わる曲げモーメントはボイスコイル支持リング部１ａおよび平板リング部１ｂとの連結部で大きくなる。
【００２３】
スピーカ用蝶ダンパー１が振動すると、アーム部１ｃの周辺で気流が発生するが、振幅の最も大きいボイスコイル支持リング部１ａとの連結部近傍では気流はアーム部１ｃの面に沿った流れとなるので乱れが生じない。また、アーム部１ｃの中間部でも気流はアーム部１ｃの面に略沿った流れとり、振幅も小さくなるのでやはり気流の乱れは発生しにくい。
【００２４】
平板リング部１ｂとの連結部では気流の向きはアーム部１ｃの面と垂直方向となるが、この部分の振幅は極めて小さいのでやはり気流の乱れは小さなものとなる。全体として気流の乱れが押えられて音質が劣化しない。
【００２５】
また、ボイスコイル支持リング部１ａとの連結部で大きい曲げモーメントが印加されるが、この部分では曲げモーメントが加わる向きの厚さが、アーム部１ｃの幅となっているので大きく、断面係数が大きくなり、応力は小さいものとなる。
【００２６】
さらに、平板リング部１ｂとの連結部近傍でも大きい曲げモーメントが加わるが、この部分ではアーム部１ｃの幅を大きくして応力を小さくできる。このようしてに、アーム部１ｃに加わる最大応力を小さくできるので、振動板を大振幅で振動させてもスピーカ用蝶ダンパー１に繰り返し加わる応力による疲労破壊を防止できる。
【００２７】
また、上記構成のスピーカ用蝶ダンパー１の上下面において重ならず、平面でない部分はアーム部１ｃのみであるが、アーム部１ｃの上下の面は水平面から垂直面に至るまで傾斜角度が単調に増加しているので、上下型の上下動のみで製品を離型でき、スライド型等を必要とせず、製造コストを安くすることができる。
【実施例２】
【００２８】
図２はこの発明の実施例２であるスピーカ用蝶ダンパーを示す部分斜視図である。図２に示すスピーカ用蝶ダンパー２はボイスコイル支持リング部２ａと平板リング部２ｂとが放射状に配置されたアーム部２ｃ、２ｃ…により連結された形状であり、合成樹脂を射出成形することにより作られている。このスピーカ用蝶ダンパー２は実施例１と同様にしてスピーカに組み込まれる。
【００２９】
この例では、アーム部２ｃ、２ｃ…が傾斜する向きが交互に逆向きとなっている。実施例１のスピーカ用蝶ダンパーでは全部のアーム部の傾斜の向きが同じであり、アーム部近傍の気流により、スピーカ用蝶ダンパーの振動に伴いボイスコイル支持リング部２ａを回転させる力が加わる。
【００３０】
この力の向きはボイスコイル支持リング部２ａの上下の動きに伴い反転して異常振動の原因となる恐れもあるが、実施例２のスピーカ用蝶ダンパー各アーム部に加わる力が相殺されて異常振動が発生する恐れがない。
【００３１】
なお、アーム部２ｃ、２ｃ…は隣接するもの数個をグループとしてグループごとに傾斜の向きを変えてもよい。このような構成により、アーム部２ｃ、２ｃ…１枚ごとに気流の向きが変って気流同士が衝突することがなく、気流の乱れが押えられる。
【実施例３】
【００３２】
図３はこの発明の実施例３であるスピーカ用蝶ダンパーを示す斜視図である。図３に示すスピーカ用蝶ダンパー３はボイスコイル支持リング部３ａと平板リング部３ｂとが放射状に配置されたアーム部３ｃ、３ｃ…により連結された形状であり、合成樹脂を射出成形することにより作られている。このスピーカ用蝶ダンパー３は実施例１と同様にしてスピーカに組み込まれる。
【００３３】
この例では、アーム部３ｃ、３ｃ…の面がボイスコイル支持リング部３ａに向けて傾斜することは実施例１と同様であるが、平板リング部３ｂとの連結部近傍がく字状となっている。このように構成によりアーム部３ｃの長さを長くして撓みやすくすることができる。なお、平板リング部３ｂとの連結部近傍Ｕ字状に曲げてもアーム部３ｃを撓みやすくすることが可能である。このようにＵ字状としてアーム部３ｃの縁を滑らかとすれば、応力集中による異常振動が押さえられる。
【００３４】
実施例は以上のように構成されているが発明はこれに限られず、例えば、スピーカボイスコイルとの連結部でアーム部を平板リング部に対して傾斜させてもこの発明の効果が得られる。
【図面の簡単な説明】
【００３５】
【図１】この発明の実施例１であるスピーカ用蝶ダンパーを示す部分斜視図である。
【図２】この発明の実施例２であるスピーカ用蝶ダンパーを示す部分斜視図である。
【図３】この発明の実施例３であるスピーカ用蝶ダンパーを示す斜視図である。
【図４】この発明の実施例１の用蝶ダンパーがスピーカに組み込まれた状態を示す斜視図である。
【図５】従来のスピーカ用コルゲート型ダンパーを示す斜視図である。
【図６】従来のスピーカ用蝶ダンパーの例を示す斜視図である。
【符号の説明】
【００３６】
１  スピーカ用蝶ダンパー、１ａ  ボイスコイル支持リング部、１ｂ  平板リング部
１ｃ  アーム部
２  スピーカ用蝶ダンパー、２ａ  ボイスコイル支持リング部、２ｂ  平板リング部
２ｃ  アーム部
３  スピーカ用蝶ダンパー、３ａ  ボイスコイル支持リング部、３ｂ  平板リング部
３ｃ  アーム部
４  スピーカフレーム
５  振動板
６  エッジ
７  ボイスコイル
１０  スピーカ用コルゲート型ダンパー、１０ａ  ボイスコイル支持リング部
１０ｂ  固定部、１０ｃ  コルゲート
１１  スピーカ用蝶ダンパー、１１ａ  ボイスコイル支持リング部
１１ｂ  平板リング部、１１ｃ  アーム部
【図１】
2010147839.tif 000003
【図２】
2010147839.tif 000004
【図３】
2010147839.tif 000005
【図４】
2010147839.tif 000006
【図５】
2010147839.tif 000007
【図６】
2010147839.tif 000008